(57)【要約】【課題】嵌合具によって閉じた袋本体の開口部を容易に開封できる嵌合具付き袋体を提供する。【解決手段】第１の平面部１４及び第２の平面部１４を有する内容物を収容する袋本体１０と、第１の嵌合部３８及び第２の嵌合部４２を有し、袋本体１０の開口部１２に沿うように袋本体１０の内面に取り付けられた嵌合具３０と、嵌合具３０の開口部１２と反対側で第１の端部５２が袋本体１０の内面に取り付けられたシート基材５０と、を有し、シート基材５０を間に挟むように第１の嵌合部３８及び第２の嵌合部４２が嵌合され、第１の嵌合部３８及び第２の嵌合部４２が嵌合された状態で、シート基材５０の第１の端部５２から第２の端部５４までの距離が、シート基材５０の第１の端部５２から袋本体１０の開口部１２までの距離よりも長い、嵌合具付き袋体１。【選択図】図２
2015016881.tif 000002
【特許請求の範囲】
【請求項１】
内容物を収容する袋本体と、前記袋本体に形成される開口部に沿うように前記袋本体の内面に取り付けられた嵌合具と、前記嵌合具の前記開口部と反対側で前記袋本体の内面に第１の端部が取り付けられたシート基材と、を有し、
前記袋本体が一対の平面部を有し、
前記嵌合具が、前記開口部に沿うように前記一対の平面部のそれぞれに設けられ、互いに着脱自在に嵌合する突条の一対の嵌合部を有し、
前記シート基材を間に挟むように前記一対の嵌合部が嵌合される、嵌合具付き袋体。
【請求項２】
前記一対の嵌合部が嵌合された状態で、前記シート基材の前記第１の端部からその反対側の第２の端部までの距離が、前記シート基材の前記第１の端部から前記袋本体に形成された開口部までの距離よりも長い、請求項１に記載の嵌合具付き袋体。
【請求項３】
前記シート基材における第２の端部側に、部分的に肉厚な肉厚部が形成されている、請求項１又は２に記載の嵌合具付き袋体。
【発明の詳細な説明】
【技術分野】
【０００１】
本発明は、嵌合具付き袋体に関する。
【背景技術】
【０００２】
食品、薬品、雑貨等を収容する袋体としては、内容物を収容する袋本体と、該袋本体の開口部近傍の内面に、該開口部を開閉自在に封じるように取り付けられた嵌合具と、を具備する嵌合具付き袋体が広く用いられている。
嵌合具としては、例えば、帯状の基材及び該基材の長手方向に沿って設けられた雄型嵌合部とを有する第１の嵌合部材と、帯状の基材及び該基材の長手方向に沿って設けられた雌型嵌合部とを有する第２の嵌合部材と、を有する嵌合具が挙げられる（例えば、特許文献１）。該嵌合具においては、雄型嵌合部と雌型嵌合部とが着脱自在に嵌合できるようになっている。袋本体の開口部近傍において向かい合う一方の内面に第１の嵌合部材の基材を取り付け、他方の内面に第２の嵌合部材の基材を取り付けて、雄型嵌合部と雌型嵌合部とを着脱させることで、袋本体の開口部の開閉が繰り返し行える。
【０００３】
このような嵌合具付き袋体においては、嵌合具によって開口部を開封する作業が難しいことがある。具体的には、嵌合具によって開口部を開封する際には、袋本体における第１の嵌合部材が取り付けられた側の開口端と、第２の嵌合部材が取り付けられた側の開口端とをそれぞれ把持し、それら各々の開口端を離間させるように引っ張ることで、雄型嵌合部を雌型嵌合部から脱離させて開封する。しかし、嵌合具によって開口部を閉じている状態では、袋本体の対向する開口端同士が密着した状態となりやすく、それぞれの開口端を把持することが難しい。そのため、袋体の開封に時間がかかることがある。
【先行技術文献】
【特許文献】
【０００４】
【特許文献１】特開２００３−１６０１４７号公報
【発明の概要】
【発明が解決しようとする課題】
【０００５】
本発明は、嵌合具によって閉じた袋本体の開口部を容易に開封できる嵌合具付き袋体を提供する。
【課題を解決するための手段】
【０００６】
本発明の嵌合具付き袋体は、内容物を収容する袋本体と、前記袋本体に形成される開口部に沿うように前記袋本体の内面に取り付けられた嵌合具と、前記嵌合具の前記開口部と反対側で前記袋本体の内面に第１の端部が取り付けられたシート基材と、を有し、前記袋本体が一対の平面部を有し、前記嵌合具が、前記開口部に沿うように前記一対の平面部のそれぞれに設けられ、互いに着脱自在に嵌合する突条の一対の嵌合部を有し、前記シート基材を間に挟むように前記一対の嵌合部が嵌合されることを特徴とする。
【０００７】
本発明の嵌合具付き袋体では、前記一対の嵌合部が嵌合された状態で、前記シート基材の前記第１の端部からその反対側の第２の端部までの距離が、前記シート基材の前記第１の端部から前記袋本体に形成された開口部までの距離よりも長いことが好ましい。
また、前記シート基材における第２の端部側には、部分的に肉厚な肉厚部が形成されていることが好ましい。
【発明の効果】
【０００８】
本発明の嵌合具付き袋体は、嵌合具によって閉じた袋本体の開口部を容易に開封できる。
【図面の簡単な説明】
【０００９】
【図１】本発明の嵌合具付き袋体の一例を示した正面図である。
【図２】図１の嵌合具付き袋体のＡ−Ａ断面図である。
【図３】図２の嵌合具付き袋体における嵌合具で閉じられた開口部を開封する様子を示した断面図である。
【図４】本発明の嵌合具付き袋体におけるシート基材の他の例を示した断面図である。
【図５】本発明の嵌合具付き袋体の他の例を示した断面図である。
【図６】本発明の嵌合具付き袋体の他の例を示した正面図である。
【図７】本発明の嵌合具付き袋体の他の例を示した正面図である。
【図８】図７の嵌合具付き袋体のＢ−Ｂ断面図である。
【発明を実施するための形態】
【００１０】
本発明の嵌合具付き袋体は、内容物を収容する袋本体の内面に、該袋本体に形成される開口部に沿うように嵌合具が取り付けられ、該嵌合具によって前記開口部を開閉自在に封じることができる袋体である。
以下、本発明の嵌合具付き袋体の一例を示して詳細に説明する。
【００１１】
本実施形態例の嵌合具付き袋体１（以下、「袋体１」という。）は、図１及び図２に示すように、内容物を収容する袋本体１０と、袋本体１０の上部に形成された開口部１２に沿うように袋本体１０の内面に取り付けられた嵌合具３０と、嵌合具３０の開口部１２と反対側で袋本体１０の内面に第１の端部５２が取り付けられたシート基材５０と、を有する。
【００１２】
袋本体１０は、一対の第１の平面部１４及び第２の平面部１６を有している。袋本体１０は、第１の平面部１４と第２の平面部１６における両方の側縁部１８，２０及び底縁部２２がヒートシールされることで袋状とされており、上部に開口部１２が形成されている。
【００１３】
袋本体１０の形状は、本実施形態では矩形である。ただし、袋本体１０の形状は矩形には限定されない。また、袋本体１０の大きさも特に限定されず、袋本体１０に収容する内容物によって適宜選定すればよい。
【００１４】
第１の平面部１４及び第２の平面部１６は、フィルム材で形成されていることが好ましい。
第１の平面部１４及び第２の平面部１６を形成するフィルム材は、ヒートシールによって嵌合具３０を溶着できるものであればよく、内面側からシーラント層と基材層を少なくとも有する積層フィルムが好ましい。
【００１５】
基材層の材質としては、二軸延伸ナイロン、二軸延伸ポリプロピレン等が挙げられる。
シーラント層の材質としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、第１の平面部１４と第２の平面部１６を形成するフィルム材は、シーラント層のみからなる単層フィルムであってもよい。
【００１６】
嵌合具３０は、一対の帯状の第１の嵌合部材３２と第２の嵌合部材３４とを有する。
第１の嵌合部材３２は、帯状の第１の基材３６と、第１の基材３６の対向面３６ａに長手方向に沿って設けられた突条の第１の嵌合部３８とを有する。第２の嵌合部材３４は、帯状の第２の基材４０と、第２の基材４０の対向面４０ａに長手方向に沿って設けられ、第１の嵌合部３８と着脱自在に嵌合する第２の嵌合部４２とを有する。
【００１７】
第１の基材３６及び第２の基材４０の材質としては、公知の嵌合具に使用される樹脂が用いられる。例えば、低密度ポリエチレン、線状低密度ポリエチレン、エチレン−酢酸ビニル共重合体、ポリプロピレン、エチレン−アクリル酸系共重合体等のポリオレフィン又はオレフィン系共重合体が挙げられる。第１の基材３６及び第２の基材４０においては、それぞれ前記した樹脂を単独で又は２種以上を組み合わせて用いることができる。
また、第１の基材３６及び第２の基材４０は、複層とすることができる。その場合、第１の基材３６及び第２の基材４０は、例えば、融点又は軟化温度が相対的に低い樹脂からなり、第１の平面部１４と熱溶着するヒートシール層と、融点又は軟化温度が相対的に高い樹脂からなる耐熱層とからなる複層とすることができる。
【００１８】
第１の嵌合部３８及び第２の嵌合部４２の材質としては、例えば、第１の基材３６及び第２の基材４０で挙げた樹脂と同じ樹脂を用いることができる。第１の嵌合部３８及び第２の嵌合部４２には、第１の基材３６及び第２の基材４０に用いた樹脂よりも融点又は軟化温度が高い樹脂を用いることが好ましい。
【００１９】
嵌合具３０は、袋本体１０の内面に、開口部１２に沿うように設けられている。より具体的には、第１の嵌合部材３２が、第１の平面部１４の内面に、袋本体１０の開口部１２に沿うように、袋本体１０の第１の側縁１０ａから第２の側縁１０ｂまで連続して取り付けられている。また、第２の嵌合部材３４が、第２の平面部１６の内面に、袋本体１０の開口部１２に沿うように、袋本体１０の第１の側縁１０ａから第２の側縁１０ｂまで連続して取り付けられている。
【００２０】
第１の嵌合部３８は、第１の基材３６の対向面３６ａに、第１の基材３６の長手方向に沿って突条に設けられている。第１の嵌合部３８は、図２に示すように、第１の基材３６の対向面３６ａから立ち上がる幹部３８ａと、幹部３８ａの先端部に設けられ、幹部３８ａよりも大きい断面略半円形状の頭部３８ｂを有する雄型嵌合部である。
第２の嵌合部４２は、第２の基材４０の対向面４０ａに、第２の基材４０の長手方向に沿って突条に設けられている。第２の基材４０は、図２に示すように、第２の基材４０の対向面４０ａから断面円弧状に立ち上がる第１のアーム部４２ａと第２のアーム部４２ｂからなり、第１のアーム部４２ａと第２のアーム部４２ｂによって凹部４２ｃが形成されている雌型嵌合部である。
【００２１】
第１の嵌合部３８と第２の嵌合部４２は、第１の嵌合部３８の頭部３８ｂを第２の嵌合部４２の凹部４２ｃに嵌め込むことで、着脱自在に嵌合できるようになっている。嵌合具３０の第１の嵌合部３８と第２の嵌合部４２を着脱自在に嵌合することで、袋本体１０に形成された開口部１２を開閉自在に封じることができる。
【００２２】
第２の嵌合部４２の凹部４２ｃは、第１の嵌合部３８の頭部３８ｂよりも一回り大きくなっており、第１の嵌合部３８及び第２の嵌合部４２を嵌合した状態において、第２の嵌合部４２の内面と第１の嵌合部３８の外面との間に、シート基材５０の厚みとほぼ同等の隙間が形成されている。すなわち、第１の嵌合部３８及び第２の嵌合部４２は、それら第１の嵌合部３８と第２の嵌合部４２の間にシート基材５０を挟んだ状態で嵌合するようになっている。
【００２３】
第１の嵌合部３８及び第２の嵌合部４２の断面形状は、シート基材５０を間に挟むように第１の嵌合部３８と第２の嵌合部４２とを嵌合することで、袋本体１０の開口部１２を閉じることができるものであればよく、公知の断面形状を採用できる。
【００２４】
シート基材５０は、シート状の基材であって、第１の端部５２が、嵌合具３０の開口部１２と反対側で袋本体１０の内面に取り付けられている。より具体的には、この例では、シート基材５０の第１の端部５２が、嵌合具３０の開口部１２と反対側で袋本体１０の第１の平面部１４の内面１４ａに取り付けられている。
また、シート基材５０は、嵌合具３０によって袋本体１０の開口部１２が閉じられる際に、図２に示すように、第１の嵌合部３８と第２の嵌合部４２の間に挟まれる。すなわち、シート基材５０の第２の端部５４は、第１の嵌合部３８及び第２の嵌合部４２よりも開口部１２側に位置している。
【００２５】
シート基材５０を間に挟むように第１の嵌合部３８と第２の嵌合部４２が嵌合された状態において、シート基材５０の第１の端部５２からその反対側の第２の端部５４までの距離ｄ１（図１）は、シート基材５０の第１の端部５２から袋本体１０の開口部１２までの距離ｄ２（図１）よりも長くなっていることが好ましい。これにより、シート基材５０を間に挟むように第１の嵌合部３８と第２の嵌合部４２が嵌合された状態において、シート基材５０の第２の端部５４側の一部が袋本体１０の外部に露出する。
【００２６】
袋体１では、このように、嵌合具３０によって袋本体１０の開口部１２を閉じた際に、シート基材５０が第１の嵌合部３８と第２の嵌合部４２の間に挟まれて、シート基材５０の第２の端部５４が外部に露出するようになっている。そのため、シート基材５０を用いて袋本体１０の開口部１２を容易に開封することができる。
具体的には、嵌合具３０によって閉じられた袋本体１０の開口部１２を開封する際に、シート基材５０における袋本体１０の外部に露出している部分を把持し、上方に引き上げる。これにより、図３に示すように、シート基材５０が引き伸ばされ、それに伴って第１の嵌合部３８の頭部３８ｂが第２の嵌合部４２の凹部４２ｃから引き出されて脱離する。このように、シート基材５０を用いることで、嵌合具３０によって閉じられた袋本体１０の開口部１２を容易に開くことができる。
【００２７】
前記距離ｄ１と距離ｄ２の差（ｄ１−ｄ２）は、シート基材５０における第２の端部５４側を把持して上方に引き上げることができるように適宜設定すればよい。
差（ｄ１−ｄ２）は、１〜２０ｍｍが好ましく、５〜１５ｍｍがより好ましい。差（ｄ１−ｄ２）が下限値以上であれば、シート基材５０における袋本体１０の外部に露出した部分を把持して上方に引き上げることが容易になるため、嵌合具３０によって閉じた袋本体１０の開口部１２を開くことがより容易になる。差（ｄ１−ｄ２）が上限値以下であれば、シート基材５０における袋本体１０の外部に露出した部分が邪魔になり難い。
【００２８】
袋本体１０の内面において、シート基材５０の第１の端部５２が取り付けられる位置は、嵌合具３０にできるだけ近いことが好ましい。これにより、嵌合具３０によって袋本体１０の開口部１２を閉じる際に、シート基材５０を第１の嵌合部３８と第２の嵌合部４２の間に挟み、シート基材５０の第２の端部５４側を袋本体１０の外部に露出させることが容易になる。
【００２９】
シート基材５０の形状は、この例では矩形であるが、矩形には限定されない。本発明では、シート基材の形状は、例えば、三角形状、半円状、台形状等であってもよい。
また、シート基材５０の数は、この例では１つであるが、１つには限定されない。本発明では、シート基材の数が２つ以上であってもよい。
この例のようにシート基材５０を１つ設ける場合、シート基材５０を設ける位置は、袋本体１０の開口部１２の幅方向における中央部であることが好ましい。これにより、嵌合具３０によって閉じられた袋本体１０の開口部１２をシート基材５０によって開くことが容易になる。
【００３０】
袋本体１０の開口部１２の幅ｄ４（図１）に対するシート基材５０の幅ｄ３（図１）の比（ｄ３／ｄ４）は、１／１〜１／２０が好ましく、１／１〜１／５がより好ましい。比（ｄ３／ｄ４）が下限値以上であれば、嵌合具３０によって閉じられた袋本体１０の開口部１２を、シート基材５０を利用して開くことがより容易になる。
【００３１】
シート基材５０における第１の嵌合部３８と第２の嵌合部４２との間に挟まれる部分の厚みは、シート基材５０を挟んだ状態で第１の嵌合部３８と第２の嵌合部４２とを充分な嵌合強度で嵌合できる範囲であればよい。
【００３２】
また、シート基材５０は、第２の端部５４側に、部分的に肉厚な肉厚部５６が形成されていることが好ましい。これにより、シート基材５０の第２の端部５４側を把持して上方に引き上げる際に指が肉厚部５６に引っ掛かるため、シート基材５０を引き上げて嵌合具３０の第１の嵌合部３８と第２の嵌合部４２とを脱離させることがより容易になる。
【００３３】
この例の肉厚部５６の断面形状は、図２に示すように、シート基材５０における両方の面側に突き出た形状となっている。なお、シート基材５０の肉厚部５６の断面形状は、該形状には限定されない。例えば、図４に示すように、シート基材５０の一方の面側のみに突き出た形状の肉厚部５６Ａであってもよい。
【００３４】
シート基材５０の材質としては、第１の端部５２を袋本体１０の内面に取り付けることができ、かつシート基材５０を間に挟んだ状態で第１の嵌合部３８と第２の嵌合部４２を嵌合できるものであればよい。シート基材５０の材質としては、袋本体１０の内面に溶着によって容易に取り付けられ、またシート基材５０を間に挟んだ状態でも第１の嵌合部３８と第２の嵌合部４２を嵌合できる点から、フィルム材が好ましい。
【００３５】
シート基材５０をフィルム材とする場合、該フィルム材としては、少なくとも袋本体１０の内面に溶着される側にシーラント層を有するフィルム材がより好ましい。シーラント層の材質としては、例えば、第１の平面部１４及び第２の平面部１６を形成するフィルム材のシーラント層として挙げたものと同じものが挙げられる。
また、シート基材５０をフィルム材とする場合、該フィルム材は、シーラント層のみからなる単層フィルムであってもよく、シーラント層と基材層を有する積層フィルムであってもよい。
【００３６】
例えばシート基材５０の第１の端部５２を接着剤等で袋本体１０の内面に取り付ける場合等は、シート基材５０は、シート基材５０を間に挟んだ状態で第１の嵌合部３８と第２の嵌合部４２を嵌合できるものであればフィルム材以外のものでもよい。
フィルム材以外のシート基材５０としては、例えば、ゴム製のシート、紙製のシート等、薄いシートが挙げられる。
【００３７】
袋体１の製造方法は、特に限定されず、例えば、公知の方法により袋本体１０を作製し、該袋本体１０の内面に嵌合具３０を取り付けた後に、シート基材５０の第１の端部５２を、袋本体１０の内面における、嵌合具３０の開口部１２と反対側にヒートシールによって溶着する方法等が挙げられる。
【００３８】
（作用効果）
袋体１では、袋本体１０の上部に形成された開口部１２を嵌合具３０によって開閉自在に閉じることができる。具体的には、第１の嵌合部３８と第２の嵌合部４２の間にシート基材５０が挟まれ、シート基材５０の第２の端部５４側が袋本体１０の外部に露出するように、第１の嵌合部３８と第２の嵌合部４２とを嵌合させて袋本体の開口部１２を閉じる。
袋本体１０の開口部１２を開く際には、シート基材５０における袋本体１０の外部に露出している部分を把持し、上方に引き上げる。これにより、図３に示すように、シート基材５０が引き伸ばされて緊張状態となり、その引き伸ばされたシート基材５０によって第２の嵌合部４２の凹部４２ｃ内から第１の嵌合部３８の頭部３８ｂが引き出される。このように、シート基材５０が引き伸ばされることで第１の嵌合部３８と第２の嵌合部４２の嵌合が解除され、袋本体１０の開口部１２が開かれる。
【００３９】
従来の嵌合具付き袋体では、嵌合具によって閉じた袋本体の開口部を開く場合、前述したように、袋本体の対向する開口端をそれぞれ把持してそれらを離間させるように引っ張る必要がある。しかし、嵌合具によって開口部が閉じられた状態においては、袋本体の各々の開口端は密着しやすく、各々の開口端を把持することが難しいことがある。
これに対して、袋体１では、嵌合具３０によって袋本体１０の開口部１２が閉じられた状態で、袋本体１０の各々の開口端１４ｂ，１６ｂが密着していたとしても、シート基材５０の第２の端部５４側の一部が袋本体１０の外部に露出している。そのため、シート基材５０の第２の端部５４側を容易に把持することができ、その結果、シート基材５０を利用して容易に開封作業が行える。
【００４０】
以上説明したように、本発明の嵌合具付き袋体では、シート基材を利用することで、嵌合具によって閉じられた袋本体の開口部を容易に開封することができる。
【００４１】
なお、本発明の嵌合具付き袋体は、図１〜３に例示した袋体１には限定されない。
例えば、嵌合具の第１の嵌合部及び第２の嵌合部よりも開口部側にシート基材の第２の端部が位置し、該シート基材の第２の端部が把持できる範囲であれば、前記距離ｄ１と前記距離ｄ２が同じか、又は前記距離ｄ１よりも前記距離ｄ２の方が長い嵌合具付き袋体であってもよい。すなわち、本発明の嵌合具付き袋体は、シート基材の第２の端部が把持できる範囲であれば、該シート基材の第２の端部が袋本体から露出しないものであってもよい。ただし、シート基材の第２の端部側を把持しやすい点では、袋体１のように、シート基材の第２の端部側が袋本体から露出するようになっていることが好ましい。
【００４２】
また、図５に示すように、シート基材５０の第１の端部５２が、袋本体１０における、雌型嵌合部である第２の嵌合部４２が取り付けられている第２の平面部１６の内面１６ａに取り付けられた嵌合具付き袋体２（以下、「袋体２」という。）であってもよい。図５において、図１と同じ部分については同符号を付して説明を省略する。
【００４３】
本発明では、雄型嵌合部及び雌型嵌合部を有する嵌合具を備えた嵌合具付き袋体とする場合、袋本体において雌型嵌合部の内部側に配置されるアーム部を変形させて雄型嵌合部の頭部を脱離させやすい点では、袋体２のように、袋本体における雌型嵌合部が取り付けられている側の平面部の内面にシート基材の第１の端部が取り付けられた嵌合具付き袋体が好ましい。
また、特に内容物が粉状である場合に、内容物が雌型嵌合部の凹部内に入り込んで雄型嵌合部と雌型嵌合部の嵌合が困難になることを抑制しやすい点では、袋体２のように、袋本体における雌型嵌合部が取り付けられている側の平面部の内面にシート基材の第１の端部が取り付けられた嵌合具付き袋体が好ましい。
【００４４】
また、本発明の嵌合具付き袋体は、図６に例示した嵌合具付き袋体３（以下、「袋体３」という。）であってもよい。図６において、図１と同じ部分については同符号を付して説明を省略する。
袋体３は、２つのシート基材５０Ａ，５０Ｂを有し、それぞれのシート基材５０Ａ，５０Ｂの第１の端部が嵌合具３０の開口部１２と反対側で袋本体１０の内面に取り付けられている以外は、袋体１と同じである。
シート基材を２つ設ける場合は、袋本体の開口部の幅方向の中央部に対して対称となる位置にそれらシート基材がそれぞれ設けられることが好ましい。
【００４５】
また、本発明の嵌合具付き袋体では、シート基材における第２の端部側に肉厚部が形成されていなくてもよい。また、袋体１では、シート基材５０の第２の端部５４に肉厚部５６が形成されていたが、肉厚部は袋本体の外部に露出する範囲であれば、シート基材における第２の端部よりも第１の端部側に形成されていてもよい。
また、本発明の嵌合具付き袋体は、嵌合具が帯状の基材を有さず、袋本体の一対の平面部のそれぞれに、該袋本体に形成される開口部に沿って一対の嵌合部が直接形成されたものであってもよい。
【００４６】
また、本発明の嵌合具付き袋体は、第１の嵌合部と第２の嵌合部をそれぞれ複数の雄型嵌合部からなる嵌合部とし、各々の雄型嵌合部の頭部を対向する２つの雄型嵌合部の間にそれぞれ挿入するように互いに嵌め込むことで、袋本体の開口部を開閉する嵌合具を有するものであってもよい。
また、本発明の嵌合具付き袋体は、第１の嵌合部と第２の嵌合部をそれぞれ１つ以上の雌型嵌合部とし、それら雌型嵌合部同士を互いに嵌め込むことで、袋本体の開口部を開閉する嵌合具を有するものとしてもよい。
【００４７】
また、本発明の嵌合具付き袋体では、嵌合具付き袋体の袋本体として知られる様々な形態の袋本体を採用できる。例えば、使用前には密封状態となっているものであってもよい。具体的には、例えば、図７及び図８に例示した嵌合具付き袋体４（以下、「袋体４」という。）であってもよい。図７及び図８において、図１及び図２と同じ部分については同符号を付して説明を省略する。
【００４８】
袋体４は、袋本体１０の代わりに、密封状態の袋本体１０Ａを有している以外は、袋体１と同じである。
袋本体１０Ａは、フィルム材からなる第１の平面部１４と第２の平面部１６とが重ね合わされ、それらの両方の側縁部１８，２０、底縁部２２及び上縁部２４が全てヒートシールされることで形成されており、密封された状態になっている。
また、袋本体１０Ａにおける嵌合具３０よりも上部側には、横方向に沿って切断補助線２６が設けられており、その端部にノッチ２８が形成されている。また、シート基材５０の第２の端部５４側は、袋本体１０Ａにおける嵌合具３０よりも上側において、折り畳まれて収容されている。
【００４９】
切断補助線２６は、袋本体１０Ａにおける嵌合具３０よりも上部を切断して開封するのを補助する線である。切断補助線２６としては、例えば、袋本体１０Ａの第１の平面部１４及び第２の平面部１６における切断補助線２６の部分をそれ以外の部分に比べて薄肉化した弱化線、ミシン目からなる弱化線、列状に形成された細孔からなる弱化線が挙げられる。また、切断補助線２６は、前記弱化線には限定されず、ハサミやカッター等で切断する位置を示す、印刷等で形成した線であってもよい。
切断補助線２６は、本実施形態では袋本体１０Ａの横方向に沿って形成されているが、この形態には限定されず、袋本体１０Ａの幅方向に対して傾斜して設けられていてもよい。
【００５０】
ノッチ２８の形状は、この例では三角形状であるが、特に限定されず、半円形状、直線状等であってもよい。
【００５１】
袋体４は、ノッチ２８から切断補助線２６に沿って袋本体１０Ａの上部を切断して除去することで、袋体１のように、上部に開口部を形成できる。上部に開口部を形成した後の袋体４は、袋体１と同様に、シート基材５０の第２の端部５４側が袋本体１０Ａの外部に露出した形態となる。そのため、袋体４においても、袋体１と同様に、袋本体１０Ａの外部に露出したシート基材５０の第２の端部５４側を把持して引き上げることで、嵌合具３０によって閉じられた開口部を容易に開くことができる。
【符号の説明】
【００５２】
１〜４  嵌合具付き袋体
１０，１０Ａ  袋本体
１２  開口部
１６  第１の平面部
１８  第２の平面部
３０  嵌合具
３２  第１の嵌合部材
３４  第２の嵌合部材
３６  第１の基材
３８  第１の嵌合部
４０  第２の基材
４２  第２の嵌合部
５０  シート基材
５２  第１の端部
５４  第２の端部
５６，５６Ａ  肉厚部
【図１】
2015016881.tif 000003
【図２】
2015016881.tif 000004
【図３】
2015016881.tif 000005
【図４】
2015016881.tif 000006
【図５】
2015016881.tif 000007
【図６】
2015016881.tif 000008
【図７】
2015016881.tif 000009
【図８】
2015016881.tif 000010